(57)【要約】【課題】  化粧料などを収納した容器本体と、蓋体とからなる化粧品容器において、パフが化粧料などに直接触れずに、容器内に収納できるとともに、化粧料使用の際には、簡単な操作で、かつ、手指がパフに直接触れずに化粧料などを所望の個所に付着させることができるようにした化粧料容器を提供すること。【解決手段】  化粧料容器として、内容物を収納する容器本体と、蓋体と、パフとからなる化粧料容器において、パフを回転軸部を設けた回転取付板の片面に取着し、蓋体に軸受を設け、回転取付板を廻動可能に装着し、蓋体内で回転取付板を反転させることによって、パフを蓋体内に収納、または、突出させることを特徴とする。【選択図】  図１
2006204821.tif 000002
【特許請求の範囲】
【請求項１】
内容物を収納する容器本体と、蓋体と、パフとからなる化粧料容器において、
パフを回転軸部を設けた回転取付板の片面に取着し、
蓋体に軸受を設け、回転取付板を廻動可能に装着し、
蓋体内で回転取付板を反転させることによって、パフを蓋体内に収納、または、突出させることを特徴とする化粧料容器。
【請求項２】
蓋体の内面に係止部を設け、回転取付板にストッパー部を設け、係止部とストッパー部とが当接し、回転を阻止することを特徴とする請求項１記載の化粧料容器。
【請求項３】
回転取付板のストッパー部につまみ操作部を設け、回転取付板を蓋体内で固定、または、廻動を操作できるようにしたことを特徴とする請求項１、２記載の化粧料容器。
【請求項４】
回転取付板のパフを取着した面の反対面に、廻動時に廻動可能方向を明示する表示部が設けられていることを特徴とする請求項１〜３記載の化粧料容器。
【請求項５】
内容物を収納する容器本体と、蓋体と、パフを装着した連結部材とからなる化粧料容器において、
連結部材は、パフを取着した取付板と、上下に容器本体、または、蓋体に設けた係合部に係合する係合部を設けた側周壁とを具備しており、蓋体に対して連結部を反転させて係合させることによって、パフを蓋体内に収納、または、突出させることを特徴とする化粧料容器。
【発明の詳細な説明】
【技術分野】
【０００１】
本発明は、化粧料容器、とくに粉末化粧料などを収納する容器本体と蓋体、パフを装着する取付部材とから構成される化粧料容器に関するものである。
【背景技術】
【０００２】
粉末化粧料などを収納する容器本体と、蓋体とからなる化粧料容器において、化粧料などを所望の個所に付着させるパフを、容器内に載置するようにした化粧料容器は、従来より知られている（特許文献１参照）。  
【特許文献１】特開平１１−２２５８２２号公報
【発明の開示】
【発明が解決しようとする課題】
【０００３】
しかしながら、従来の化粧料容器では、容器本体内の化粧料などの上に、直接パフを載置しているため、化粧料などがパフに付着し、パフを手指で把持する際に、手指に化粧料などが付着するという問題があった。
【０００４】
パフに、化粧料などを無駄に付着させないために、中蓋やフィルムを介してパフを載置することも行われているが、中蓋を開けたり、フィルムを外したりと、何かと操作が面倒であり、また、化粧料などを所望の個所に付着させる際に、パフを手指で把持しなくてはならず、手指に化粧料などが付着するという問題は解決できなかった。
【０００５】
本発明は、上記の問題を解決することを課題として、化粧料などを収納した容器本体と、蓋体とからなる化粧品容器において、パフが化粧料などに直接触れずに、容器内に収納できるとともに、化粧料使用の際には、簡単な操作で、かつ、手指がパフに直接触れずに化粧料などを所望の個所に付着させることができるようにした化粧料容器を提供することを目的とする。
【課題を解決するための手段】
【０００６】
本発明は、上記課題を解決するために、化粧料容器として、内容物を収納する容器本体と、蓋体と、パフとからなる化粧料容器において、パフを回転軸部を設けた回転取付板の片面に取着し、蓋体に軸受を設け、回転取付板を廻動可能に装着し、蓋体内で回転取付板を反転させることによって、パフを蓋体内に収納、または、突出させることを特徴とする構成を採用する。
【０００７】
蓋体の実施例として、蓋体の内面に係止部を設け、回転取付板にストッパー部を設け、係止部とストッパー部とが当接し、回転を阻止することを特徴とする構成を採用する。
【０００８】
回転取付板の実施例として、回転取付板のストッパー部につまみ操作部を設け、回転取付板を蓋体内で固定、または、廻動を操作できるようにしたことを特徴とする構成を採用する。
さらにまた、回転取付板のパフを取着した面の反対面に、廻動時に廻動可能方向を明示する表示部が設けられていることを特徴とする構成を採用する。
【０００９】
化粧料容器の別実施態様として、内容物を収納する容器本体と、蓋体と、パフを装着した連結部材とからなる化粧料容器において、連結部材は、パフを取着した取付板と、上下に容器本体、または、蓋体に設けた係合部に係合する係合部を設けた側周壁とを具備しており、蓋体に対して連結部を反転させて係合させることによって、パフを蓋体内に収納、または、突出させることを特徴とする構成を採用する。
【発明の効果】
【００１０】
化粧料などを収納する容器本体と、蓋体と、容器内に収納するパフとからなる化粧料容器において、パフを片面に取着した取付部材を反転操作することにより、蓋体にパフを収納、または、突出させることができるので、化粧料使用の際には、簡単な操作で、かつ、手指がパフに直接触れずに化粧料などを所望の個所に付着させることができるようになった。
【発明を実施するための最良の形態】
【００１１】
次に、本発明の化粧料容器の実施形態について、実施例をあげ、図面を参照して説明する。
【実施例１】
【００１２】
図１において、Ａは化粧料を収納する容器本体、Ｂは蓋体、Ｃは蓋体Ｂに軸により回転可能に取着され、片面に半球形のパフＰを貼着した板状の回転取付板である。
【００１３】
容器本体Ａは、図２に示すように、底壁１と上部側周壁２とからなる内方に化粧料を収納する収納部３と、上部側周壁２の下部から突設された段壁４と、段壁４の外周縁から垂設された下部側周壁５とから形成されている。
上部側周壁２の任意の個所には、蓋体Ｂと係合する係合部６が配設されている。
【００１４】
係合部６は、図３に示すように、蓋体Ｂの上下動を阻止する上部７と、回転の一方向を阻止する回転止部８と、係合溝９とを具えている。
係合溝９には、突部１０が設けられ、上部７下面と、回転止部８側面と、段壁４上面と、突部１０側面とで係合凹部１１が形成されている。
【００１５】
蓋体Ｂは、図４に示すように、半球形のドーム壁１５から形成され、ドーム壁１５は、半球形の上壁１６と、該上壁１６の下部に連なる周壁１７とを具えており、周壁１７の下端内周側には、容器本体Ａの上部側周壁２の係合部６周面に当接する係合部１８が周設されている。
係合部１８の内周面下方には、それぞれの係合部６の係合凹部１１と係合する係合突部１９が内方に向け突設されている。
【００１６】
周壁１７の内周面の左側中央部には、図４、５（ａ）に示すように、回転取付板Ｃと係合する係合部２０が設けられ、係合部２０には係合凹部２１が凹設されている。
周壁１７内周面の右側中央部には、図４、５（ｂ）に示すように、回転取付板Ｃと係合する小突起２２が突設されている。
【００１７】
周壁１７の内周面の前後両側中央部には、図４に示すように、上壁１６から平面を形成する取付部２３と、該取付部２３の下方中央から垂設され、回転取付板Ｃの軸と係合する軸受部２４が設けられている。  
軸受部２４には、開口２５で切欠かれた円形の軸受２６が形成され、開口２５の左右は内方に入り込み、回転取付板Ｃの軸が軸受２６から抜け落ちるのを阻止している。
【００１８】
周壁１７内周面の所定の個所には、回転取付板Ｃの板面が当接し、回転取付板Ｃの回転を阻止する係止部２７が、上壁１６から設けられている。  
【００１９】
回転取付板Ｃは、図６に示すように、上面にパフＰを貼着した円板３０から形成され、円板３０の前後両側に設けられた回転軸３１を介して、回転可能に蓋体Ｂに取着される。
円板３０は、蓋体Ｂ内で回転した際、蓋体Ｂの内周面に設けた係止部２７の下端に当接しないように形成されている。
【００２０】
円板３０の右側の所定の位置には、ストッパー部３２ａ、３２ｂが設けられ、回転取付板Ｃを回転させた時に、蓋体Ｂの係止部２７の左右どちら側かの下端に、ストッパー部３２ａ、３２ｂの表面、または、裏面が当接し、回転を阻止するように形成されている。
【００２１】
ストッパー部３２ｂには、端部より、円板３０の右側に沿って隙間を持つように、ストッパー部３２ａに向かってつまみ操作部３３が設けられている。
つまみ操作部３３には、図７に示すように、中央部に、蓋体Ｂの内壁面に設けられた係合部２０の係合凹部２１、および小突起２２に係合する係合突部３４が突設され、ストッパー部３２ａ側につまみ３５が立設されている。  
【００２２】
円板３０の裏面には、容器の閉蓋時に、容器本体Ａの収納部３の上端縁に当接するリング３６が垂設されている。
また、円板３０の裏面のリング３６の内側のストッパー部３２ａ、３２ｂの反対側には、回転取付板Ｃの回転時に押す個所を明示する表示部３７が設けられている。
【００２３】
次に、本実施例の使用態様と作用効果について説明する。
まず始めに、容器の組立方法について説明する。
パフＰを表面に貼着した回転取付板Ｃを、図８に示すように、パフＰが蓋体Ｂ内に収納されるように蓋体Ｂに取着する。
その際、回転取付板Ｃの前後両側の回転軸３１が、蓋体Ｂの内面両側の軸受部２４の開口２５から軸受２６に嵌入し、回転取付板Ｃは蓋体Ｂ内で回転可能に軸着される。
【００２４】
また、回転取付板Ｃのストッパー部３２ａ、３２ｂ上面が、蓋体Ｂの内面右側の二つの係止部２７下端に当接して回転取付板Ｃの回転を阻止するとともに、つまみ操作部３３の係合突部３４が、蓋体Ｂの内面右側の小突起２２を乗り越え、係止されることで、回転取付板Ｃは、蓋体Ｂ内に固定される。
【００２５】
次に、収納部に化粧料などを収納した容器本体Ａに、回転取付板Ｃを取着した蓋体Ｂを被せて右回転に廻動させることで、蓋体Ｂの係合部１８に配設した係合突部１９が、それぞれ対応する容器本体Ａの上部側周壁２に配設した係合部６の係合溝９に入り込む。
【００２６】
最後に、蓋体Ｂの係合突部１９が、係合溝９の突部１０を乗り越え、係合部６の回転止部８側面に当接することにより、廻動が阻止され、係合突部１９は容器本体Ａの係合部６の係合凹部１１に係合し、図１に示すように、蓋体Ｂは、容器本体Ａに取着される。
また、蓋体Ｂに取着した回転取付板Ｃ裏面のリング３６が、容器本体Ａの収納部３の上端縁に当接し、収納部３内を閉蓋することとなる。
以上のようにして、化粧料を収納した化粧料容器が得られる。
【００２７】
化粧料容器の使用にあたっては、まず始めに、蓋体Ｂを容器本体Ａより左回転に廻動させることにより、蓋体Ｂの係合突部１９と容器本体Ａの係合部６との係合を外し、蓋体Ｂを容器本体Ａより外す。
【００２８】
蓋体Ｂに取着された回転取付板Ｃの表示部３７を手指などで押すことにより、回転取付板Ｃは前後両側の回転軸３１を支点に表示部３７側が押す方向に、つまみ操作部３３側が逆の方向に向かう力が加わる。
そのことにより、つまみ操作部３３の係合突部３４と、蓋体Ｂの小突起２２との係止が外れ、回転取付板Ｃは、蓋体Ｂ内で前後両側の回転軸３１を支点に回転する。
【００２９】
回転取付板Ｃは、蓋体Ｂ内で回転し、図９に示すように、回転取付板Ｃのストッパー部３２ａ、３２ｂの裏面が蓋体Ｂの内面左側の二つの係止部２７下端に当接して回転が止まるとともに、つまみ操作部３３の係合突部３４が、蓋体Ｂの内面左側の係合部２０の係合凹部２１と係合し、回転取付板ＣはパフＰを下方に向けた状態で蓋体Ｂ内に固定される。
【００３０】
パフＰを下方に向けた状態の蓋体Ｂのドーム壁１５を外側より手指で把持し、パフＰを容器本体Ａの収納部３内の化粧料の上面に当接し、化粧料を付着させ、パフＰを所望の個所に当接させることで、化粧料を所望の個所に付着させることができる。
【００３１】
化粧料使用時の容器の再封にあたっては、図９に示すように、回転取付板Ｃのつまみ操作部３３のつまみ３５を円板３０の中心の方向に向かって押圧する。
そのことによって、つまみ操作部３３は、ストッパー３２ｂとの連設部を支点にして円板３０に向かって弾性変化を起こし、それとともに、つまみ操作部３３の係合突部３４と、蓋体Ｂの係合部２０の係合凹部２１との係合が外れる。
【００３２】
係合突部３４と係合凹部２１との係合が外れることで、回転取付板Ｃは、蓋体Ｂとの固定が外れ、つまみ操作部３３側が蓋体Ｂ内で前後両側の回転軸３１を支点に回転することができる。
【００３３】
そして、図８に示すように、回転取付板Ｃのストッパー部３２ａ、３２ｂ上面が、蓋体Ｂの内面右側の二つの係止部２７下端に当接して回転取付板Ｃの回転が止まり、つまみ操作部３３の係合突部３４と蓋体Ｂの内面右側の小突起２２とにより、回転取付板Ｃは、パフＰを蓋体Ｂ内に収納した状態で蓋体Ｂ内に固定される。
最後は、蓋体Ｂを容器本体Ａに被嵌させることで、容器が再封される。
【００３４】
本実施例の化粧料容器では、回転取付板Ｃの表示部３７、または、つまみ操作部３３のつまみ３５のみに手指などを当接して操作することにより、パフＰを蓋体Ｂ内で反転させて収納、または、突出できるので、パフＰには直接手指などが触れず、パフＰに付着した化粧料が手指などに付着することがない。
また、閉蓋時に、回転取付板Ｃのリング３６が容器本体Ａの収納部３の上端周縁に当接し、収納部３内を密封できるので、化粧料の乾燥などの品質の変化を防止することができる。
【００３５】
蓋体Ｂの左右両側に係止部２７、および回転取付板Ｃの片方側にストッパー部３２ａ、３２ｂを設けたことにより、回転取付板Ｃを廻動させても蓋体Ｂ内で反転するだけで回転が阻止される。
さらに、回転取付板Ｃに設けた表示部３７とつまみ３５により、回転可能方向が確認できる。
【実施例２】
【００３６】
次に、容器本体と、蓋体と、パフを片面に取着し、蓋体と容器本体とを連結する連結部材とからなる第２実施例について説明する。
【００３７】
図１０において、Ａａは化粧料を収納する容器本体、Ｂａは蓋体、Ｄは片面に半球形のパフＰを貼着し、容器本体Ａａと蓋体Ｂａを連結する連結部材である。
【００３８】
容器本体Ａａは、底壁４０と側周壁４１とから形成され、側周壁４１の上端内周には、連結部材Ｄと係合する係合部４２が周設されている。
係合部４２の側面には係合突条４３が内方に向けて突設されている。
【００３９】
蓋体Ｂａは、半球形のドーム壁４５から形成され、ドーム壁４５の下端内周には、連結部材Ｄと係合する係合部４６が周設されている。
係合部４６の側面には係合突条４７が内方に向けて突設されている。
【００４０】
連結部材Ｄは、パフＰを貼着した取付板５０と、取付板５０の周縁から垂設され、容器本体Ａａの係合部４２、および蓋体Ｂａの係合部４６と係合する側周壁５１とから形成されている。
取付板５０の上面にはリング５２が突設され、その内方上面にパフＰが貼着されている。
【００４１】
側周壁５１外周の中央部には、容器本体Ａａの側周壁４１の上端縁、および蓋体Ｂａのドーム壁４５の下端縁と当接するフランジ５３が設けられている。
側周壁５１外周の上端付近には係合突条５４、下端付近には係合突条５５が設けられている。
【００４２】
次に、第２実施例の化粧料容器の使用態様と作用効果について説明する。
まず始めに、容器の組立方法について説明する。
パフＰを表面に貼着した連結部材Ｄを、蓋体Ｂａ内にパフＰが収納されるように蓋体Ｂａに取着する。
その際、連結部材Ｄの側周壁５１の係合突条５４が、蓋体Ｂａの係合部４６の係合突条４７を乗り越えて係止され、連結部材Ｄが蓋体Ｂａより外れることを阻止する。
【００４３】
次に、蓋体Ｂａに取着された連結部材Ｄの側周壁５１を、化粧料を収納した容器本体Ａａに取着する。
その際、連結部材Ｄの側周壁５１の係合突条５５が、容器本体Ａａの係合部４２の係合突条４３を乗り越えて係止され、連結部材Ｄが容器本体Ａａより外れることを阻止する。
以上のようにして、容器本体Ａａと蓋体Ｂａとを連結部材Ｄで連結され、化粧料を収納した化粧料容器が得られる。
【００４４】
化粧料容器の使用にあたっては、まず始めに、蓋体Ｂａを手指などで把持し、容器本体Ａａと連結部材Ｄとの係合を外し、容器本体Ａａより蓋体Ｂａとが係合している連結部材Ｄを開蓋する。
【００４５】
次に、連結部材Ｄの側周壁５１の係合突条５５付近を手指などで把持し、蓋体Ｂａと連結部材Ｄとの係合を外すとともに、図１１に示すように、連結部材ＤをパフＰが下方に向くように反転させ、次いで、連結部材Ｄの側周壁５１の嵌合突条５５側を蓋体Ｂａの係合部４６に取着する。
その際、連結部材Ｄの側周壁５１の係合突条５５が、蓋体Ｂａの係合部４６の係合突条４７を乗り越えて係止され、連結部材Ｄが蓋体Ｂａより外れることを阻止する。
【００４６】
パフＰを下方に向けた状態の蓋体Ｂａのドーム壁４５を外側より手指で把持し、パフＰを容器本体Ａａ内の化粧料に当接し、化粧料を付着させ、パフＰを所望の個所に当接させることで、化粧料を所望の個所に付着させることができる。
【００４７】
化粧料使用時の容器の再封にあたっては、連結部材Ｄの側周壁５１の係合突条５４付近を手指などで把持し、蓋体Ｂａと連結部材Ｄとの係合を外すとともに、連結部材ＤをパフＰが上方に向くように反転させ、蓋体Ｂａ内にパフＰが収納されるように取着する。
次に、蓋体Ｂａに取着された連結部材Ｄの側周壁５１を容器本体Ａに取着することで、容器が再封する。
【００４８】
本実施例の化粧料容器では、連結部材Ｄの側周壁５１を手指などで把持して操作することにより、パフＰを突出、または、蓋体Ｂａ内に収納できるので、パフＰには直接手指などが触れず、パフＰに付着した化粧料などが手指などに付着することはない。
また、閉蓋時に、連結部材Ｄのフランジ５３が容器本体Ａａ側周壁４１の上端周縁、および蓋体Ｂａのドーム壁４５の下端周縁に当接して密封できるので、化粧料の乾燥などの品質の変化を防止することができる。
【００４９】
さらに、連結部材Ｄの取付板５０の片面にリング５２を設け、その内方にパフＰを貼着しているため、パフＰを上面にした際、パフＰの汚れが、リング５２内で止まり、側周壁５１まで汚れることを阻止している。
【００５０】
上記各実施例では、容器本体の収納部に直接、化粧料を収納していたが、化粧料をレフィル皿などに収納して、容器本体の収納部に収納することにより、化粧料を使い切ったらレフィル皿だけを取替えて、本願発明の化粧料容器を使用することもできる。
【００５１】
上記各実施例の蓋体を透明性のある素材で形成することにより、閉蓋時にパフを蓋体の外側から視認することができるので、例えば、パフに付着した化粧料の色などを確認することができる。
【産業上の利用可能性】
【００５２】
本発明の化粧料容器は、パフを片面に取着した部材を簡単な操作で反転させ、蓋体にパフを収納、または、突出させることができるので、化粧料使用の際には、パフに手指が直接触れずに化粧料を所望の個所に付着させることができる。
さらに、化粧料容器だけでなく、粉体の薬品等の収納容器にも利用することができる。
【図面の簡単な説明】
【００５３】
【図１】本発明第１実施例の化粧料容器の断面立面図である。
【図２】容器本体の説明図で、（ａ）は上面図、（ｂ）は断面立面図である。
【図３】容器本体の係合部の詳細説明図で、（ａ）は上面図、（ｂ）は側面図である。
【図４】蓋体の説明図で、（ａ）は断面立面図、（ｂ）は下面図である。
【図５】蓋体の係止部の詳細説明図で、（ａ）は係合部、（ｂ）は小突起である。
【図６】回転取付板の説明図で、（ａ）は上面図、（ｂ）は断面立面図、（ｃ）は下面図である。
【図７】回転体のつまみ操作部の詳細説明図である。
【図８】蓋体に回転取付板を取着した際の説明図で、（ａ）は断面立面図、（ｂ）は底面図である。
【図９】蓋体よりパフを突出した際の説明図で、（ａ）は断面立面図、（ｂ）は底面図である。
【図１０】本発明第２実施例の化粧料容器の断面立面図である。
【図１１】第２実施例の蓋体よりパフを突出した際の説明図である。
【符号の説明】
【００５４】
Ａ、Ａａ      容器本体
Ｂ、Ｂａ      蓋体
Ｃ            回転取付板
Ｄ            連結部材
Ｐ            パフ
１、４０      底壁
２            上部側周壁
３            収納部
４            段壁
５            下部側周壁
６、１８、２０、４２、４６  係合部
７            上部
８            回転止部
９            係合溝
１０          突部
１１、２１    係合凹部
１５、４５    ドーム壁
１６          上壁
１７          周壁
１９、３４    係合突部
２２          小突起
２３          取付部
２４          軸受部
２５          開口
２６          軸受
２７          係止部
３０          円板
３１          回転軸
３２ａ、３２ｂ  ストッパー部
３３          つまみ操作部
３５          つまみ
３６、５２    リング
３７          表示部
４１、５１    側周壁
４３、４７、５４、５５  係合突条
５０          取付板
５３          フランジ
【図１】
2006204821.tif 000003
【図２】
2006204821.tif 000004
【図３】
2006204821.tif 000005
【図４】
2006204821.tif 000006
【図５】
2006204821.tif 000007
【図６】
2006204821.tif 000008
【図７】
2006204821.tif 000009
【図８】
2006204821.tif 000010
【図９】
2006204821.tif 000011
【図１０】
2006204821.tif 000012
【図１１】
2006204821.tif 000013